(57)【要約】      （修正有）【課題】汗、雨の付着や曇りの発生等を抑制し、且つレンズに付着した水滴を効果的に落下させ、視界への影響を軽減することができる眼鏡を提供する。【解決手段】左右のテンプルを取り付ける箇所Ｃ同士を、直線で結んだ線Ｌの長さをｌｍｍとし、眼鏡の中心線Ｄ上にあるフロント部の最前面ＥよりＬに対して垂直にひいた線Ｈにおいて、フロント部の最前面ＥからＬまでの長さをｈｍｍとしたとき、ｈが２０ｍｍ以上であり、ｌ／ｈが６以下であり、且つ、テンプルを開いて、顔に装着する状態にして水平面に置き、正面からみた場合に、左右のレンズの下部が水平面と各一点の接点を持ち、各接点と、各接点を中心とした半径１０ｍｍの円がレンズ下部と交わる交点Ｉとを結んだ直線と水平面との傾斜角度をとしたとき、が３度以上であり、且つ、レンズの少なくとも内面に撥水膜または防曇膜を有する。【選択図】図２
0003145822.tif 000002
【実用新案登録請求の範囲】
【請求項１】
レンズが１枚である１眼形式の眼鏡、または、レンズが２枚である２眼形式の眼鏡において、テンプル（Ｔ）を開いて、顔に装着する状態にして水平面（Ａ）に置き、上面からみた場合に、フロント部（Ｂ）の両端部に存在する、左右のテンプル（Ｔ）を取り付ける箇所（Ｃ）同士を、直線で結んだ線(Ｌ)の長さを(ｌ)ｍｍとし、眼鏡の中心線（Ｄ）上にあるフロント部（Ｂ）の最前面（Ｅ）より（Ｌ）に対して垂直にひいた線(Ｈ)において、フロント部（Ｂ）の最前面（Ｅ）から(Ｌ)までの長さを(ｈ)ｍｍとしたとき、(ｈ)が２０ｍｍ以上であり、（ｌ／ｈ）が６以下であり、且つ、テンプル（Ｔ）を開いて、顔に装着する状態にして水平面（Ａ）に置き、正面からみた場合に、左右のレンズの下部が水平面（Ａ）と各一点の接点（Ｆ）を持ち、各接点（Ｆ）と、各接点（Ｆ）を中心とした半径１０ｍｍの円（Ｇ）がレンズ下部と交わる交点（Ｉ）とを結んだ直線(Ｊ)と水平面（Ａ）との傾斜角度を(Ｋ)としたとき、(Ｋ)が３度以上であり、且つ、レンズの少なくとも内面に撥水膜または防曇膜を有することを特徴とする眼鏡。
【請求項２】
（ｈ）が３０ｍｍ以上であり、（ｌ／ｈ）が５以下であり、（Ｋ）が５度以上であることを特徴とする請求項１に記載の眼鏡。
【請求項３】
テンプル（Ｔ）を取り付ける箇所（Ｃ）が上下に複数箇所ある場合は、最上部（Ｍ）同士を直線で結んだ線（Ｌ）の長さを（ｌ）ｍｍとすることを特徴とする請求項１または請求項２に記載の眼鏡。
【請求項４】
レンズ下部にフレームがない眼鏡構造であることを特徴とする請求項１から請求項３の何れかに記載の眼鏡。
【請求項５】
レンズの交換が可能な眼鏡構造であることを特徴とする請求項１から請求項４の何れかに記載の眼鏡。
【請求項６】
レンズがプラスチックでできており、ハードコート膜、及び／または、反射防止膜を有することを特徴とする請求項１から請求項５の何れかに記載の眼鏡。
【考案の詳細な説明】
【技術分野】
【０００１】
本考案は、紫外線カットなど眼の保護などにおいて、優れた性能を発揮し、顔の形状にそったものとして、装着感が向上する眼鏡の改良に関するものである。
【背景技術】
【０００２】
従来、この種の眼鏡として、例えば図１１に示したようなものが存在する。この眼鏡はサングラスとしており、適正な曲面を有した可撓性および弾性を有する一眼式のレンズを備えており、このレンズ１１の両側方端部上縁には左右一対のフレーム１２をビスで固着し、それぞれフレーム１２にはテンプル１３を接続したものとしている。
【０００３】
上記従来の眼鏡は、紫外線カットなど眼の保護などにおいて、優れた性能を発揮する。また、視界に関しては、視野範囲が広くなるという、優れた性能を発揮する。さらに、顔の形状にそったものとして、装着感が向上するという、優れた性能を発揮する。
【特許文献１】特開平９―１９７３５０号公報（図１）
【考案の開示】
【考案が解決しようとする課題】
【０００４】
しかしながら、従来の顔の形状にそった眼鏡では、装着時に顔と眼鏡の距離が近くなることで、汗などのレンズ内側への付着による視界の低下が生じやすい。
【０００５】
また、顔と眼鏡の距離が近くなることで、レンズ内側に曇りが発生しやすく視界の低下が生じる。
【０００６】
さらに、雨によるレンズ内側、外側への水滴付着により、視界の低下を生じやすい。
【０００７】
そこで、本考案の眼鏡は、レンズへの汗、雨などの付着及び曇りなどの発生による視界への影響を、レンズ表面に加工したコーティング膜とレンズの形状によって抑制することを目的とする。
【課題を解決するための手段】
【０００８】
本考案は、レンズが１枚である１眼形式の眼鏡、または、レンズが２枚である２眼形式の眼鏡において、テンプルＴを開いて、顔に装着する状態にして水平面Ａに置き、上面からみた場合に、フロント部Ｂの両端部に存在する、左右のテンプルＴを取り付ける箇所Ｃ同士を、直線で結んだ線Ｌの長さをｌｍｍとし、眼鏡の中心線Ｄ上にあるフロント部Ｂの最前面ＥよりＬに対して垂直にひいた線Ｈにおいて、フロント部Ｂの最前面ＥからＬまでの長さをｈｍｍとしたとき、ｈが２０ｍｍ以上であり、ｌ／ｈが６以下であり、且つ、テンプルＴを開いて、顔に装着する状態にして水平面Ａに置き、正面からみた場合に、左右のレンズの下部が水平面Ａと各一点の接点Ｆを持ち、各接点Ｆと、各接点Ｆを中心とした半径１０ｍｍの円Ｇがレンズ下部と交わる交点Ｉとを結んだ直線Ｊと水平面Ａとの傾斜角度をＫとしたとき、Ｋが３度以上であり、且つ、レンズの少なくとも内面に撥水膜または防曇膜を有するものとしている。
【０００９】
本考案において、ｈが３０ｍｍ以上であり、ｌ／ｈが５以下であり、Ｋが５度以上であるのが好ましい。
【００１０】
本考案において、テンプルＴを取り付ける箇所Ｃが上下に複数箇所ある場合は、最上部Ｍ同士を直線で結んだ線Ｌの長さをｌｍｍとすることができる。
【００１１】
本考案において、レンズ下部にフレームがない眼鏡構造であるものとすることができる。
【００１２】
本考案において、レンズの交換が可能な眼鏡構造であるものとすることができる。
【００１３】
本考案において、レンズはプラスチックでできており、ハードコート膜、及び／または、反射防止膜を有するものとすることができる。
【考案の効果】
【００１４】
本考案は、以上に述べたように構成されているので、レンズ表面に施された撥水膜、防曇膜によって汗、雨の付着や曇りの発生等を抑制し、且つ、レンズ下部の形状によってレンズに付着した水滴を効果的に落下させ、視界への影響を軽減することができる。
【考案を実施するための最良の形態】
【００１５】
以下、本考案を実施するための最良の形態を、図面に基づいて詳細に説明する。
【００１６】
本考案の眼鏡は、少なくともレンズ１の内側の表面に撥水膜２ａを施すことで、汗や雨などの水滴の付着を抑制し、レンズ１の下部への流下をうながす。あるいは、本考案の眼鏡は、少なくともレンズ１の内側の表面に防曇膜２ｂを施すことで、曇りの発生を抑制する。
【００１７】
本考案において、防曇膜２ｂは一般に防曇キャパシティがあり、そのキャパシティを超えると曇りの水滴が発生するが、防曇膜２ｂの防曇性能のキャパシティを超えて水滴ができた場合でも、防曇膜２ｂの親水性により、水滴のレンズ１の下部への流下をうながす。
【００１８】
レンズ１の下部に流下した汗や雨の水滴は、高い界面張力のため、一定以上の大きさにならないとレンズ１から落下しにくい。そのため、レンズ１の下部に水滴が溜まりやすく、視界不良の原因になる。
【００１９】
そこで、本考案では、レンズ１の下部に最も低い位置をもたせ、レンズ１の下部に到達した汗や雨などの水滴を、レンズ１の下部のある一定以上の傾斜にしたがって、最も低い位置にすみやかに集め、落下をうながすことで、視界不良の改善を可能にしている。
【００２０】
本考案において、眼鏡の形式に関しては、レンズ１が１枚である１眼形式の眼鏡、または、レンズ１が２枚である２眼形式の眼鏡、または、２眼レンズ１の機能、形状をもった１眼形式の眼鏡であればよい。
【００２１】
また、本考案において、上記の１眼形式、２眼形式、２眼レンズ１の機能、形状をもった１眼形式の眼鏡のいずれの場合においても、レンズ１の上部及び下部にフレームがある眼鏡構造、レンズ１の上部及び下部にフレームがない眼鏡構造、レンズ１の上部のみにフレームがある眼鏡構造、レンズ１の下部のみにフレームがある眼鏡構造を包含するものである。特に、水滴の落下をうながすためには、レンズ１の下部にフレームがない眼鏡構造のほうが好ましい。
【００２２】
また、本考案において、上記の１眼形式、２眼形式、２眼レンズ１の機能、形状をもった１眼形式の眼鏡のいずれの場合においても、レンズ交換が可能な眼鏡構造であり、レンズ１の上部、または、下部にフレームがあり、そのフレームにレンズ１を装着することでレンズ１を交換することができるレンズ交換構造、及び、レンズ１の上部、下部にフレームがあり、フロント部Ｂの左右の外側より、レンズ１をスライド方式で交換することができるレンズ交換構造とすることができる。
【００２３】
本考案では、レンズ１に関して、材質はガラスやプラスチックであり、レンズ１の強靭性能から特に、ポリカーボネート系やナイロン系などのプラスチックが好ましい。
【００２４】
また、本考案では、レンズ１の表面にハードコート膜３、及び／または、反射防止膜４を有し、少なくともレンズ１の内側に撥水膜２ａ、または、防曇膜２ｂを有することが望ましい。
【００２５】
さらに、本考案では、雨によるレンズ１の内側、外側への水滴の付着を抑制するため、上記レンズ１の内側、及び、外側に撥水膜２ａ、または、防曇膜２ｂを有することが望ましい。
【００２６】
このとき、本考案では、レンズ１の内側、及び、外側の表面にハードコート膜３を有し、また、内側、及び、外側のハードコート膜３の表面に反射防止膜４を有し、更に、内側、及び、外側の反射防止膜４の表面に撥水膜２ａ、または、防曇膜２ｂを有するレンズ１が好ましい。
【００２７】
本考案において、顔の形状にそった眼鏡とするには、フロント部Ｂの顔にそった曲率がある一定以上の大きさであることで顔の形状にそった眼鏡になる。そこで、テンプルＴを開いて、顔に装着する状態にして水平面Ａに置き、上面からみた場合に、フロント部Ｂの両端部に存在する、左右のテンプルＴを取り付ける箇所Ｃ同士を、直線で結んだ線Ｌの長さをｌｍｍとし、眼鏡の中心線Ｄ上にあるフロント部Ｂの最前面ＥよりＬに対して垂直にひいた線Ｈにおいて、フロント部Ｂの最前面ＥからＬまでの長さをｈｍｍとしたとき、ｈが２０ｍｍ以上であり、ｌ／ｈが６以下であるものとしている。また、より顔にそった形状にするためには、ｈが３０ｍｍ以上であり、ｌ／ｈが５以下であるほうが好ましい。
【００２８】
また、本考案において、テンプルＴを取り付ける箇所Ｃが上下に複数箇所ある場合において、例えば最上部Ｍのテンプルの装着箇所および最下部Ｎのテンプルの装着箇所がある場合には、最上部Ｍ同士を直線で結んだ線Ｌの長さをｌｍｍとしている。
【００２９】
本考案において、レンズ１の下部形状に関しては、レンズ１の下部に最も低い位置をもつことで、レンズ１の下部に到達した水滴を、レンズ１の下部の傾斜にしたがって、最も低い位置にすみやかに集め、落下をうながす。そこで、テンプルＴを開いて、顔に装着する状態にして水平面Ａに置き、正面からみた場合に、左右のレンズ１の下部が水平面Ａと各一点の接点Ｆを持ち、各接点Ｆと、各接点Ｆを中心とした半径１０ｍｍの円Ｇがレンズ１の下部と交わる交点Ｉとを結んだ直線Ｊと水平面Ａとの傾斜角度をＫとしたとき、Ｋが３度以上であるものとしている。また、レンズ１の下部に到達した水滴を、レンズ１の下部の傾斜にしたがって、よりすみやかに最も低い位置に集め、落下をうながすためには、Ｋが５度以上であるほうが好ましい。
【図面の簡単な説明】
【００３０】
【図１】テンプルを開いて、顔に装着する状態で、水平面に対して設置した場合の本考案の眼鏡の側面図である。
【図２】テンプルを開いて、顔に装着する状態で、水平面に対して設置し、上面からみた場合の本考案の眼鏡のフロント部のみの平面図である。
【図３】テンプルを開いて、顔に装着する状態で、水平面に対して設置し、正面からみた場合の本考案の眼鏡のレンズのみの正面図である。
【図４】テンプルを取り付ける箇所が上下に複数箇所ある場合の本考案の眼鏡の側面図である。
【図５】レンズの内側表面に、撥水膜または防曇膜を施した本考案の眼鏡のレンズの断面図である。
【図６】レンズの内側及び外側表面に、撥水膜または防曇膜を施した本考案の眼鏡のレンズの断面図である。
【図７】ハードコート膜を有するレンズの内側表面に、撥水膜または防曇膜を施した本考案の眼鏡のレンズの断面図である。
【図８】ハードコート膜を有するレンズの内側及び外側表面に、撥水膜または防曇膜を施した本考案の眼鏡のレンズの断面図である。
【図９】ハードコート膜及び反射防止膜を有するレンズの内側表面に、撥水膜または防曇膜を施した本考案の眼鏡のレンズの断面図である。
【図１０】ハードコート膜及び反射防止膜を有するレンズの内側及び外側表面に、撥水膜または防曇膜を施した本考案の眼鏡のレンズの断面図である。
【図１１】従来の眼鏡の一例を示す斜視図である。
【符号の説明】
【００３１】
１  レンズ
２ａ  撥水膜
２ｂ  防曇膜
３  ハードコート膜
４  反射防止膜
Ａ  水平面
Ｂ  眼鏡のフロント部
Ｃ  テンプルを取り付ける箇所
Ｄ  眼鏡の中心線
Ｅ  フロント部の最前面
Ｆ  左右のレンズの下部と水平面との接点
Ｇ  Ｆを中心とした半径１０ｍｍの円
Ｈ  ＥよりＬに対して垂直にひいた線
ｈ  ＥよりＬに対して垂直にひいた線におけるＥからＬまでの長さ 
Ｉ  Ｇとレンズ下部とが交わる交点
Ｊ  ＦとＩとを結んだ直線
Ｋ  ＦとＩとを結んだ直線と水平面との傾斜角度
Ｌ  左右のテンプルを取り付ける箇所同士を直線で結んだ線
ｌ  左右のテンプルを取り付ける箇所同士を直線で結んだ線の長さ 
Ｍ  テンプルを取り付ける箇所が上下に複数箇所ある場合の、最上部のテンプル装着箇所
Ｔ  テンプル
【図１】
0003145822.tif 000003
【図２】
0003145822.tif 000004
【図３】
0003145822.tif 000005
【図４】
0003145822.tif 000006
【図５】
0003145822.tif 000007
【図６】
0003145822.tif 000008
【図７】
0003145822.tif 000009
【図８】
0003145822.tif 000010
【図９】
0003145822.tif 000011
【図１０】
0003145822.tif 000012
【図１１】
0003145822.tif 000013